(57)【要約】【課題】簡単操作で多彩な表示遷移を可能にする表示制御装置及び表示制御方法を提供すること。【解決手段】表示制御装置は、所定操作後の第１状態遷移信号に基づき前記所定操作後の第１表示状態を前記所定操作前の第２表示状態へ遷移し、第２状態遷移信号に基づきカレント階層に属する第１画面を、前記カレント階層の上位階層の第２画面へ遷移する。【選択図】図４
2010286915.tif 000002
【特許請求の範囲】
【請求項１】
階層構造に基づき画面表示の遷移を制御する表示制御手段と、
カーソル移動信号に基づきカーソルのフォーカス先の移動を制御し、決定信号に基づき前記カーソルによりフォーカスされた項目に応じた動作を制御し、第１状態遷移信号に基づき操作前状態への遷移を制御し、第２状態遷移信号に基づき現在の状態から上位の状態への遷移を制御する動作制御手段と、
を備え、
前記表示制御手段は、
所定操作後の前記第１状態遷移信号に基づき、前記所定操作後の第１表示状態を前記所定操作前の第２表示状態へ遷移し、
前記第２状態遷移信号に基づき、カレント階層に属する第１画面を前記カレント階層の上位階層の第２画面の第３表示状態へ遷移すること
ことを特徴とする表示制御装置。
【請求項２】
前記表示制御手段は、前記第２状態遷移信号に基づき、前記カレント階層に属する前記第１画面に含まれた複数項目の中の所定項目にカーソルがフォーカスした第４表示状態を前記第１画面に含まれた前記複数項目の中の先頭項目にカーソルがフォーカスした第５表示状態へ遷移することを特徴とする請求項１に記載の表示制御装置。
【請求項３】
前記表示制御手段は、前記第２状態遷移信号による前記上位の状態への遷移後の前記第１状態遷移信号に基づき、前記上位の状態への遷移後の前記５表示状態を遷移前の前記第４表示状態へ遷移することを特徴とする請求項２に記載の表示制御装置。
【請求項４】
前記表示制御手段は、前記第２状態遷移信号による前記上位の状態への遷移後の前記第１状態遷移信号に基づき、前記上位の状態への遷移後の前記３表示状態を遷移前の前記第５表示状態へ遷移することを特徴とする請求項２に記載の表示制御装置。
【請求項５】
前記動作制御手段は、
サブ階層生成要求に基づきサブ階層を生成し、
前記表示制御手段は、
前記サブ階層生成要求に基づき、前記カレント階層に属するカレント画面を表示したカレント表示状態を前記サブ階層に属する所定画面のサブ階層表示状態へ遷移し、
前記所定画面に含まれた複数項目の中の先頭項目にカーソルがフォーカスした第５表示状態での前記第２状態遷移信号に基づき、前記第４表示状態を前記カレント表示状態へ遷移し、
前記カレント階層の下位階層に属する第２画面を表示した第６表示状態での前記第２状態遷移信号に基づき、前記第５表示状態を前記カレント表示状態へ遷移する、
ことを特徴とする請求項１に記載の表示制御装置。
【請求項６】
前記表示制御手段は、
前記カレント階層に属する前記第１画面を第１表示形式で表示するように制御し、
表示形式切り換え信号に基づき前記第１画面を第２表示形式で表示するように制御し、
前記第２表示形式を記憶し、
前記第２状態遷移信号に基づき、前記カレント階層に属する前記第１画面の第４表示状態を前記カレント階層の上位階層の第２画面の第３表示状態へ遷移するとともに、前記第２画面を前記第２表示形式で表示するように制御する、
ことを特徴とする請求項１に記載の表示制御装置。
【請求項７】
所定操作後の第１状態遷移信号に基づき前記所定操作後の第１表示状態を前記所定操作前の第２表示状態へ遷移し、第２状態遷移信号に基づきカレント階層に属する第１画面を、前記カレント階層の上位階層の第２画面へ遷移することを特徴とする表示制御方法。
【発明の詳細な説明】
【技術分野】
【０００１】
本発明は、所定操作後の表示状態をこの所定操作前の表示状態へ戻すことが可能な表示制御装置及び表示制御方法に関する。
【背景技術】
【０００２】
近年、映像・音声処理装置は、より複雑な処理を実行できるようになっている。その具体的な要因として、CPU（Central Processing Unit）の高性能化、及びOS（Operating System）の進化が挙げられる。また、これらの副次的な効果として、より高度なアプリケーション実行環境が構築できる。これは、プラットフォームネイティブな実行コードではなく、逐次解釈コードの実行環境などがOS上で実装されるためである。さらに、上記したより高度なアプリケーション実行環境は、OSの違いを抽象化し、ひとつの実行コードがさまざまなOS上で実行できるかのように見せることができる。
【０００３】
一例として、映像・音声処理装置において構築されたアプリケーション実行環境上で実行させるwidget(ウィジェット)が挙げられる。例えば、widgetは、簡易なアプリケーションであり、XMLとScriptなどで構成される。また、widgetは、インターネットにアクセス可能で、GUI(Graphical User Interface)の要素を持つ。widgetに関する技術として、widgetを動かすためのWidget Platformが知られている。Widget Platformは、パーソナルコンピュータはもとより、テレビ又はＤＶＤプレイヤーなどの映像機器へ搭載することも可能である。これにより、パーソナルコンピュータのユーザだけでなく、様々なユーザに対して、Widget Platform及び複数のwidgetを利用したアプリケーションの高度な処理を提供できる。
【０００４】
例えば、一台の映像機器で、複数のWidgetを利用し、CD(Compact Disc)のコンテンツを再生したり、DVDのコンテンツを再生したり、SDのコンテンツを再生したりすることができる。また、リジューム機能を用いることにより、例えば、映像機器は、CDのコンテンツの再生を停止（又は一時停止）し、DVDのコンテンツを再生し停止した後に、CDのコンテンツの再生停止位置（又は再生一時停止位置）から再生を再開することができる。このようにして、ユーザは、映像機器を使用して、複数のメディアのコンテンツを切り替えて楽しむことができる。さらに、このような映像機器は、複数のwidgetを利用し、インターネット経由でコンテンツを視聴したり、ショッピング環境を提供したりすることもできる。
【０００５】
このように、一台の映像機器で、複数のwidgetを利用し、ユーザが、各種コンテンツを視聴したり各種サービスを受けようしたりすると、その操作性が重要となる。
【０００６】
例えば、デスクトップ画面上にランチャーメニューを表示し、ファンクションキーで次のランチャーメニューへ進み、別のファンクションキーで前画面へ戻るランチャーメニュー表示システムが開示されている（特許文献１参照）。
【先行技術文献】
【特許文献】
【０００７】
【特許文献１】特開２００１−１８８６７２
【発明の概要】
【発明が解決しようとする課題】
【０００８】
しかしながら、上記したような複数のwidgetを適用した映像機器は、階層構造に基づき画面表示を遷移するため、上記したような表示状態を先へ進ませる処理と表示状態を元へ戻す処理だけでは、不便である。
【０００９】
本発明の目的は、簡単操作で多彩な表示遷移を可能にする表示制御装置及び表示制御方法を提供することにある。
【課題を解決するための手段】
【００１０】
本発明の一実施形態に係る表示制御装置は、階層構造に基づき画面表示の遷移を制御する表示制御手段と、カーソル移動信号に基づきカーソルのフォーカス先の移動を制御し、決定信号に基づき前記カーソルによりフォーカスされた項目に応じた動作を制御し、第１状態遷移信号に基づき操作前状態への遷移を制御し、第２状態遷移信号に基づき現在の状態から上位の状態への遷移を制御する動作制御手段と、を備え、前記表示制御手段は、所定操作後の前記第１状態遷移信号に基づき、前記所定操作後の第１表示状態を前記所定操作前の第２表示状態へ遷移し、前記第２状態遷移信号に基づき、カレント階層に属する第１画面を前記カレント階層の上位階層の第２画面の第３表示状態へ遷移する。
【００１１】
本発明の一実施形態に係る表示制御方法は、所定操作後の第１状態遷移信号に基づき前記所定操作後の第１表示状態を前記所定操作前の第２表示状態へ遷移し、第２状態遷移信号に基づきカレント階層に属する第１画面を、前記カレント階層の上位階層の第２画面へ遷移することを特徴とする表示制御方法。
【発明の効果】
【００１２】
本発明によれば、簡単操作で多彩な表示遷移を可能にする表示制御装置及び表示制御方法を提供できる。
【図面の簡単な説明】
【００１３】
【図１】本発明の一実施形態に係る映像音声処理装置（表示制御装置）の概略構成を示す図である。
【図２】スタートメニュー画面の一例を示す図である。
【図３】チャンネルメニュー画面の一例を示す図である。
【図４】画面表示遷移の一例を示す図である。
【図５】リモートコントローラの一例を示す図である。
【発明を実施するための形態】
【００１４】
以下、図面を参照し、本発明の実施形態について説明する。
【００１５】
図１は、本発明の一実施形態に係る映像音声処理装置（表示制御装置）の概略構成を示す図である。図１に示すように映像音声処理装置１０１は、制御モジュール１０２、メモリ１０３、ディスクドライブ１０４、ストレージデバイス１０５、映像出力モジュール１０６、ネットワークモジュール１０８、信号受信モジュール１１２を備えている。
【００１６】
ディスクドライブ１０４は、ＣＤ、ＤＶＤなどのディスクに記録されたコンテンツデータを読み出すことができる。また、ストレージデバイス１０５は、ハードディスク、ＵＳＢメモリインターフェース、及びメモリカードインターフェースにより構成される。ハードディスクはＭＰ３ファイル及びｗｍｖファイルなどのマルチメディアファイル（コンテンツデータ）を記憶したり、各種アプリケーションデータを記憶したりする。ＵＳＢメモリインターフェースは、ＵＳＢメモリに記憶されたマルチメディアファイル（コンテンツデータ）を読み出すことができる。メモリカードインターフェースは、メモリカードに記憶されたマルチメディアファイル（コンテンツデータ）を読み出すことができる。
【００１７】
制御モジュール１０２は、マルチメディアファイル再生アプリケーションに基づき、ＤＶＤ、ＣＤ、ハードディスク、ＵＳＢメモリ、及びメモリカードのマルチメディアファイルを再生することができる。
【００１８】
ネットワークモジュール１０８は、インターネット１０９を介して、インターネットサーバ１１１及びwidget提供サーバ１１０から各種データをダウンロードすることができる。ダウンロードしたデータは、例えばストレージデバイス１０５のハードディスクに記憶される。
【００１９】
信号受信モジュール１１２は、例えばリモートコントローラ１１３からの制御信号を受信し、制御信号を制御モジュール１０２へ通知する。制御モジュール１０２は、信号受信モジュール１１２から通知される制御信号に基づき、各種動作を制御する。例えば、ＣＤ、ＤＶＤなどのコンテンツの再生制御信号に基づき、ＣＤ、ＤＶＤなどのコンテンツの再生を制御したり、ストレージデバイス１０５のコンテンツの再生制御信号に基づき、ストレージデバイス１０５のコンテンツの再生を制御したりする。
【００２０】
制御モジュール１０２は、複数のwidgetsを動かすためのWidget Platformを含み、これら複数のwidgetsを制御する。また、制御モジュール１０２は、映像表示装置１０７の表示を制御する。つまり、制御モジュール１０２の表示制御により、映像出力モジュール１０６は表示情報を映像表示装置１０７に出力し、映像表示装置１０７は表示情報に基づく表示画像を表示する。
【００２１】
ここで、映像表示装置１０７に表示されるメニュー画面について説明する。映像音声処理装置は、視認性に優れ且つ多数のアプリケーションを選択可能にするため、スタートメニュー画面とチャンネルメニュー画面とを選択的に表示することができる。図２は、スタートメニュー画面の一例を示す図であり、図３はチャンネルメニュー画面の一例を示す図である。
【００２２】
ストレージデバイス１０５は、スタートメニュー画面２を構成するためのスタートメニュー構成情報を記憶し、またチャンネルメニュー画面３を構成するためのチャンネルメニュー構成情報を記憶する。或いは、メモリ１０３（不揮発性メモリ）が、スタートメニュー構成情報及びチャンネルメニュー構成情報を記憶する。
【００２３】
制御モジュールは、ユーザによるスタートメニュー画面２の選択操作に対応して、スタートメニュー構成情報及びコンテンツデータ（動画など）に基づいて、スタートメニュー画面２を表示するためのスタートメニュー画面表示情報の出力を制御する。これに対応して、映像出力モジュール１０６は、スタートメニュー画面表示情報を映像表示装置１０７へ出力し、その結果、映像表示装置１０７は、図２に示すようなスタートメニュー画面２を表示する。
【００２４】
また、制御モジュールは、ユーザによるチャンネルメニュー画面３の選択操作に対応して、チャンネルメニュー構成情報及びコンテンツデータ（動画など）に基づいて、スタートチャンネルメニュー画面３を表示するためのチャンネルメニュー画面表示情報の出力を制御する。これに対応して、映像出力モジュール１０６は、チャンネルメニュー画面表示情報を映像表示装置１０７へ出力し、その結果、映像表示装置１０７は、図３に示すようなチャンネルメニュー画面３を表示する。
【００２５】
例えば、図２に示すように、スタートメニュー画面２は、CD Player アイコン２１１、DVD Player アイコン２１２、Media Player アイコン２１３、Search アイコン２１４、Widget Channel アイコン２１５などを含む。さらに、選択中のCD Player アイコン２１１は拡大表示され、２番目の選択候補（非選択中）のDVD Player アイコン２１２は拡大表示サイズより小さい第１のサイズで表示され、２番目の選択候補（非選択中）のSearch アイコン２１４も拡大表示サイズより小さい第１のサイズで表示され、３番目の選択候補（非選択中）のMedia Player アイコン２１３は第１のサイズよりさらに小さい第２のサイズで表示され、３番目の選択候補（非選択中）のWidget Channel アイコン２１５も第１のサイズよりさらに小さい第２のサイズで表示される。
【００２６】
また、スタートメニュー画面２は、コンテンツ（例えば動画）の再生画面２０２を含む。コンテンツは、ストレージデバイス１０５に記憶されたコンテンツであってもよいし、ネットワークモジュール１０８を介してダウンロード等したコンテンツであってもよい。例えば、図２に示すように、スタートメニュー画面２は、中央にコンテンツの再生画面２０２を含み、コンテンツの再生画面２０２の周囲等に、様々なサイズで表示された複数の設定アイコンと複数の再生アプリケーションアイコンとを含む。
【００２７】
また、スタートメニュー画面２は、スタートメニュー画面２をチャンネルメニュー画面３へ切り換えるためのチャンネルメニュー切り換え項目（チャンネルメニュー切り換えアイコン２０１）を含む。
【００２８】
チャンネルメニュー画面３は、複数のネットワークサービスに対応した複数のネットワークアプリケーション(widget)を個々に起動するための複数のネットワークアプリケーション項目（ショートカットアイコン）を含み、これら複数のネットワークアプリケーション項目の表示サイズは均一である。例えば、図３に示すように、チャンネルメニュー画面３は、ショートカットアイコン３２１、３２２、３２３、３２４、３２５、３２６、３２７、３２８を含む。複数のネットワークアプリケーション項目は、外部サーバからダウンロードされたダウンロードデータに対応した広告情報を含むことができる。
【００２９】
また、チャンネルメニュー画面３は、コンテンツ（例えば動画）の再生画面３０２を含む。コンテンツストレージデバイス１０５に記憶されたコンテンツであってもよいし、ネットワークモジュール１０８を介してダウンロード等したコンテンツであってもよい。
【００３０】
また、チャンネルメニュー画面３は、複数のコンテンツソース（CD、DVDなど）に対応した複数の再生アプリケーションを個々に起動するための複数の再生アプリケーション項目（再生アプリケーションアイコン）を含む。但し、複数のネットワークアプリケーション項目の表示を優先するため、複数の再生アプリケーション項目は小さく表示される。例えば、図３に示すように、チャンネルメニュー画面３は、CD Player アイコン３１１、DVD Player アイコン３１２、Media Player アイコン３１３、Search アイコン３１４を含む。
【００３１】
また、チャンネルメニュー画面３は、チャンネルメニュー画面３をスタートメニュー画面２へ切り換えるためのスタートメニュー切り換え項目（スタートメニュー切り換えアイコン３０１）を含む。
【００３２】
以下、図４を参照して、制御モジュール１０２による画面表示制御について説明する。画面表示制御の説明の前に、図５を参照して、画面表示制御のための各種制御信号を出力するリモートコントローラ１１３の構成について簡単に説明する。
【００３３】
図５は、リモートコントローラ１１３の一例を示す上面図である。図５に示すように、リモートコントローラ１１３は、多数のキーを備えている。例えば、リモートコントローラ１１３は、方向キー１１３ａ、ＯＫキー１１３ｂ、ＢＡＣＫキー１１３ｃ、ＧＯ ＵＰキー１１３ｄを備えている。
【００３４】
例えば、方向キー１１３ａは、映像表示装置１０７の画面上に表示されたカーソルの移動方向（上下左右）を指示するためのキーであり、リモートコントローラ１１３は、方向キー１１３ａの操作に対応したカーソル移動信号を出力する。信号受信モジュール１１２は、カーソル移動信号を受信し、制御モジュール１０２は、カーソル移動信号に基づきカーソルのフォーカス先の移動を制御する。
【００３５】
また、ＯＫキー１１３ｂは、ＯＫを指示するためのキーであり、リモートコントローラ１１３は、ＯＫキー１１３ｂの操作に対応したＯＫ信号を出力する。信号受信モジュール１１２は、ＯＫ信号を受信し、制御モジュール１０２は、ＯＫ信号に基づきカーソルによりフォーカスされた項目に応じた動作を制御する。例えば、制御モジュール１０２は、カーソルによりフォーカスされた項目に対応したコンテンツの映像を再生したり、この項目に対応した次画面の表示を制御したりする。
【００３６】
また、ＢＡＣＫキー１１３ｃは、操作前状態への遷移を指示するためのキーであり、リモートコントローラ１１３は、ＢＡＣＫキー１１３ｃの操作に対応した第１状態遷移信号を出力する。信号受信モジュール１１２は、第１状態遷移信号を受信し、制御モジュール１０２は、第１状態遷移信号に基づき操作前状態への遷移を制御する。例えば、制御モジュール１０２は、操作前状態を検索し、操作後の表示状態を操作前の表示状態へ遷移する。
【００３７】
また、ＧＯ ＵＰキー１１３ｄは、現在の状態から上位の状態への遷移を指示するためのキーであり、リモートコントローラ１１３は、ＧＯ ＵＰキー１１３ｄの操作に対応した第２状態遷移信号を出力する。信号受信モジュール１１２は、第２状態遷移信号を受信し、制御モジュール１０２は、第２状態遷移信号に基づき現在の状態から上位の状態への遷移を制御する。例えば、制御モジュール１０２は、現在の状態を基準として上位の状態を検索し、現在の状態を上位の状態へ遷移し、これに対応して現在の表示状態を上位の表示状態へ遷移する。
【００３８】
続いて、上記説明したリモートコントローラ１１３の操作に対応した画面表示制御について説明する。
【００３９】
制御モジュール１０２は、例えば図４に示すような階層構造に基づき画面表示の遷移を制御する。Ｌａｙｅｒ＃０は、Ｌａｙｅｒ＃１の上位Ｌａｙｅｒであり、Ｌａｙｅｒ＃１は、Ｌａｙｅｒ＃２の上位Ｌａｙｅｒである。言い換えれば、Ｌａｙｅｒ＃１は、Ｌａｙｅｒ＃０の下位Ｌａｙｅｒであり、Ｌａｙｅｒ＃２は、Ｌａｙｅｒ＃１の下位Ｌａｙｅｒである。
【００４０】
Ｌａｙｅｒ＃０には、上記説明したスタートメニュー及びチャンネルメニューが属する。Ｌａｙｅｒ＃１には、メディアプレイヤーのトップメニュー、ＣＤプレイヤーのトップメニュー、ＤＶＤプレイヤーのトップメニュー、及びショップのトップメニューが属する。Ｌａｙｅｒ＃２には、メディアプレイヤーのトップメニューのさらに次のメニューなどが属する。
【００４１】
例えば、映像音声処理装置に対して電力が供給され映像音声処理装置が起動し、映像表示装置１０７に最初に表示されるトップ画面が、スタートメニュー又はチャンネルメニューである。例えば、ユーザが、リモートコントローラ１１３等を介して、トップ画面としてスタートメニュー画面を設定すれば、最初に、スタートメニュー画面が表示されるし、ユーザが、リモートコントローラ１１３等を介して、トップ画面としてチャンネルメニュー画面を設定すれば、最初に、チャンネルメニュー画面が表示される。
【００４２】
例えば、方向キー１１３ａ及びＯＫキー１１３ｂにより、Ｌａｙｅｒ＃０に属したスタートメニュー又はチャンネルメニュー中のメディアプレイヤーに対応した項目（アイコン）が選択され、その選択が決定されると、Ｌａｙｅｒ＃１に属したメディアプレイヤーのトップメニューが表示される。さらに、方向キー１１３ａ及びＯＫキー１１３ｂにより、メディアプレイヤーのトップメニューの中の項目が選択され、その選択が決定されると、Ｌａｙｅｒ＃２に属したメニュー（メディアプレイヤーのトップメニューのさらに次のメニュー）が表示される。
【００４３】
或いは、方向キー１１３ａ及びＯＫキー１１３ｂにより、Ｌａｙｅｒ＃０に属したスタートメニュー又はチャンネルメニュー中のＣＤプレイヤーに対応した項目（アイコン）が選択され、その選択が決定されると、Ｌａｙｅｒ＃１に属したＣＤプレイヤーのトップメニューが表示される。或いは、ＤＶＤプレイヤーに対応した項目（アイコン）が選択され、その選択が決定されると、Ｌａｙｅｒ＃１に属したＤＶＤプレイヤーのトップメニューが表示される。或いは、ショップに対応した項目（アイコン）が選択され、その選択が決定されると、Ｌａｙｅｒ＃１に属したショップのトップメニューが表示される。
【００４４】
上記したＬａｙｅｒ＃０、＃１、＃２は、予め用意された静的Ｌａｙｅｒであり、静的Ｌａｙｅｒに属するメニュー画面は変化しない。これに対して、Ｓｅｒｃｈ Ｒｅｓｕｌｔ Ｌａｙｅｒ＃１−１、Ｎａｒｒｏｗ Ｌａｙｅｒ＃１−１−１、Ｎａｒｒｏｗ Ｌａｙｅｒ＃１−１−２、Ｓｅｒｃｈ Ｒｅｓｕｌｔ Ｌａｙｅｒ＃１−２、Ｎａｒｒｏｗ Ｌａｙｅｒ＃１−２−１、Ｎａｒｒｏｗ Ｌａｙｅｒ＃１−２−２は、ユーザ操作（サブＬａｙｅｒ生成要求）に応じて生成された動的Ｌａｙｅｒ（サブＬａｙｅｒ）である。動的Ｌａｙｅｒに属する表示内容は、ユーザ操作（サーチ又は絞り込み処理結果）に応じて変化する。
【００４５】
例えば、Ｌａｙｅｒ＃１に属したメディアプレイヤーのトップメニューにおいて、第１キーワードでのサーチが指示されると、制御モジュール１０２は、第１キーワードでのサーチを実行し、Ｓｅｒｃｈ Ｒｅｓｕｌｔ Ｌａｙｅｒ＃１−１を生成し、Ｓｅｒｃｈ Ｒｅｓｕｌｔ Ｌａｙｅｒ＃１−１に属したメディアプレイヤーＳｅｒｃｈ Ｒｅｓｕｌｔの表示を制御する。メディアプレイヤーＳｅｒｃｈ Ｒｅｓｕｌｔには、第１キーワードを含むコンテンツが一覧表示される。
【００４６】
さらに、Ｓｅｒｃｈ Ｒｅｓｕｌｔ Ｌａｙｅｒ＃１−１に属したメディアプレイヤーＳｅｒｃｈ Ｒｅｓｕｌｔにおいて、第２キーワードでの絞り込みが指示されると、制御モジュール１０２は、第２キーワードでの絞り込みを実行し、Ｎａｒｒｏｗ Ｌａｙｅｒ＃１−１−１を生成し、Ｎａｒｒｏｗ Ｌａｙｅｒ＃１−１−１に属した第１絞り込み結果の表示を制御する。第１絞り込み結果には、第２キーワードを含むコンテンツが一覧表示される。
【００４７】
さらに、Ｎａｒｒｏｗ Ｌａｙｅｒ＃１−１−１に属した第１絞り込み結果において、第３キーワードでの絞り込みが指示されると、制御モジュール１０２は、第３キーワードでの絞り込みを実行し、Ｎａｒｒｏｗ Ｌａｙｅｒ＃１−１−２を生成し、Ｎａｒｒｏｗ Ｌａｙｅｒ＃１−１−２に属した第２絞り込み結果の表示を制御する。第２絞り込み結果には、第３キーワードを含むコンテンツが一覧表示される。
【００４８】
また、Ｓｅｒｃｈ Ｒｅｓｕｌｔ Ｌａｙｅｒ＃１−１に属したメディアプレイヤーＳｅｒｃｈ Ｒｅｓｕｌｔ、又はＮａｒｒｏｗ Ｌａｙｅｒ＃１−１−１に属した第１絞り込み結果、又はＮａｒｒｏｗ Ｌａｙｅｒ＃１−１−２に属した第２絞り込み結果において、第４キーワードでのサーチが指示されると、制御モジュール１０２は、第４キーワードでのサーチを実行し、Ｓｅｒｃｈ Ｒｅｓｕｌｔ Ｌａｙｅｒ＃１−２を生成し、Ｓｅｒｃｈ Ｒｅｓｕｌｔ Ｌａｙｅｒ＃１−２に属したメディアプレイヤーＳｅｒｃｈ Ｒｅｓｕｌｔの表示を制御する。メディアプレイヤーＳｅｒｃｈ Ｒｅｓｕｌｔには、第４キーワードを含むコンテンツが一覧表示される。
【００４９】
さらに、Ｓｅｒｃｈ Ｒｅｓｕｌｔ Ｌａｙｅｒ＃１−２に属したメディアプレイヤーＳｅｒｃｈ Ｒｅｓｕｌｔにおいて、第５キーワードでの絞り込みが指示されると、制御モジュール１０２は、第５キーワードでの絞り込みを実行し、Ｎａｒｒｏｗ Ｌａｙｅｒ＃１−２−１を生成し、Ｎａｒｒｏｗ Ｌａｙｅｒ＃１−２−１に属した第１絞り込み結果の表示を制御する。第１絞り込み結果には、第５キーワードを含むコンテンツが一覧表示される。
【００５０】
さらに、Ｎａｒｒｏｗ Ｌａｙｅｒ＃１−２−１に属した第１絞り込み結果において、第６キーワードでの絞り込みが指示されると、制御モジュール１０２は、第６キーワードでの絞り込みを実行し、Ｎａｒｒｏｗ Ｌａｙｅｒ＃１−２−２を生成し、Ｎａｒｒｏｗ Ｌａｙｅｒ＃１−２−２に属した第２絞り込み結果の表示を制御する。第２絞り込み結果には、第６キーワードを含むコンテンツが一覧表示される。
【００５１】
以上が、図４に示す階層構造の概要である。続いて、ＢＡＣＫキー１１３ｃ及びＧＯ ＵＰキー１１３ｄによる状態遷移の具体例について説明する。
【００５２】
例えば、Ｌａｙｅｒ＃０に属したスタートメニューが表示された状態で、方向キー１１３ａ及びＯＫキー１１３ｂにより、スタートメニューのメディアプレイヤーに対応した項目（アイコン）が選択され、その選択が決定されると、制御モジュール１０２は、スタートメニューの表示をメディアプレイヤーのトップメニューの表示へ切り換える。このとき、ＢＡＣＫキー１１３ｃが操作されると、制御モジュール１０２は、メディアプレイヤーのトップメニューの表示状態をスタートメニューの表示状態へ戻す。
【００５３】
また、Ｓｅｒｃｈ Ｒｅｓｕｌｔ Ｌａｙｅｒ＃１−１に属したメディアプレイヤーＳｅｒｃｈ Ｒｅｓｕｌｔが表示された状態（状態Ｓ１１）で、キーワードでの絞り込みが指示され、制御モジュール１０２が、キーワードでの絞り込みを実行し、Ｎａｒｒｏｗ Ｌａｙｅｒ＃１−１−１に属した第１絞り込み結果が表示されたとする。このとき、第１絞り込み結果に含まれた第１のコンテンツ（先頭コンテンツ）が選択されているとする（第１のコンテンツに対してカーソルが合わせられているとする）（状態Ｓ１２）。この状態Ｓ１２で、方向キー１１３ａの操作により、第１絞り込み結果に含まれた第２のコンテンツが選択され（第２のコンテンツに対してカーソルが合わせられ）（状態Ｓ１３）、さらに、方向キー１１３ａの操作により、第１絞り込み結果に含まれた第３のコンテンツが選択されたとする（第３のコンテンツに対してカーソルが合わせられたとする（状態Ｓ１４）。
【００５４】
この状態Ｓ１４で、ＢＡＣＫキー１１３ｃが操作されると、制御モジュール１０２は、第３のコンテンツに対してカーソルが合わせられた表示状態を、第２のコンテンツに対してカーソルが合わせられた表示状態へ戻す（状態Ｓ１３）。さらに、ＢＡＣＫキー１１３ｃが操作されると、制御モジュール１０２は、第２のコンテンツに対してカーソルが合わせられた表示状態を、第１のコンテンツに対してカーソルが合わせられた表示状態へ戻す（状態Ｓ１２）。さらに、ＢＡＣＫキー１１３ｃが操作されると、制御モジュール１０２は、第１のコンテンツに対してカーソルが合わせられた表示状態を、メディアプレイヤーＳｅｒｃｈ Ｒｅｓｕｌｔの表示状態へ戻す（状態Ｓ１１）。
【００５５】
また、上記状態Ｓ１４で、ＧＯ ＵＰキー１１３ｄが操作されると、制御モジュール１０２は、第３のコンテンツに対してカーソルが合わせられた表示状態を、第１のコンテンツ（先頭コンテンツ）に対してカーソルが合わせられた表示状態へ戻す（状態Ｓ１２’）。さらに、ＧＯ ＵＰキー１１３ｄが操作されると、制御モジュール１０２は、第１のコンテンツに対してカーソルが合わせられた表示状態を、メディアプレイヤーＳｅｒｃｈ Ｒｅｓｕｌｔの表示状態へ戻す（状態Ｓ１１’）。
【００５６】
また、上記状態Ｓ１２’で、ＢＡＣＫキー１１３ｃが操作されると、制御モジュール１０２は、第１のコンテンツに対してカーソルが合わせられた表示状態を、第３のコンテンツに対してカーソルが合わせられた表示状態へ戻す（状態Ｓ１４）。同様に、上記状態Ｓ１１’で、ＢＡＣＫキー１１３ｃが操作されると、制御モジュール１０２は、メディアプレイヤーＳｅｒｃｈ Ｒｅｓｕｌｔの表示状態を、第１のコンテンツに対してカーソルが合わせられた表示状態へ戻す（状態Ｓ１２）。
【００５７】
続いて、表示形式の維持等について説明する。例えば、Ｌａｙｅｒ＃１に属したメディアプレイヤーのトップメニューにおいて、第１キーワードでのサーチが指示されると、制御モジュール１０２は、第１キーワードでのサーチを実行し、Ｓｅｒｃｈ Ｒｅｓｕｌｔ Ｌａｙｅｒ＃１−１を生成し、Ｓｅｒｃｈ Ｒｅｓｕｌｔ Ｌａｙｅｒ＃１−１に属したメディアプレイヤーＳｅｒｃｈ Ｒｅｓｕｌｔを第１の表示形式で表示する（状態Ｓ２１）。例えば、メディアプレイヤーＳｅｒｃｈ Ｒｅｓｕｌｔには、第１キーワードを含むコンテンツが一覧表示され、且つ一覧表示中のカーソルにより選択されているコンテンツ（先頭コンテンツ）の映像が表示される。
【００５８】
さらに、状態Ｓ２１で、第２キーワードでのサーチが指示されると、制御モジュール１０２は、第２キーワードでのサーチを実行し、Ｓｅｒｃｈ Ｒｅｓｕｌｔ Ｌａｙｅｒ＃１−２を生成し、Ｓｅｒｃｈ Ｒｅｓｕｌｔ Ｌａｙｅｒ＃１−２に属したメディアプレイヤーＳｅｒｃｈ Ｒｅｓｕｌｔを第１の表示形式で表示する（状態Ｓ２２）。例えば、メディアプレイヤーＳｅｒｃｈ Ｒｅｓｕｌｔには、第１キーワードを含むコンテンツが一覧表示され、且つ一覧表示中のカーソルにより選択されているコンテンツ（先頭コンテンツ）の映像が表示される。
【００５９】
さらに、状態Ｓ２２で、リモートコントローラ１１３の表示切り換え操作（表示切り換え信号）により、制御モジュール１０２は、Ｓｅｒｃｈ Ｒｅｓｕｌｔ Ｌａｙｅｒ＃１−２に属したメディアプレイヤーＳｅｒｃｈ Ｒｅｓｕｌｔを第２の表示形式で表示する（状態Ｓ２３）。例えば、メディアプレイヤーＳｅｒｃｈ Ｒｅｓｕｌｔには、状態Ｓ２２の一覧表示中のカーソルにより選択されているコンテンツ（先頭コンテンツ）の映像が全画面表示される。このとき、メモリ１０３は第２の表示形式を記憶する。
【００６０】
この後、上記状態Ｓ２３で、ＧＯ ＵＰキー１１３ｄが操作されると、制御モジュール１０２は、Ｓｅｒｃｈ Ｒｅｓｕｌｔ Ｌａｙｅｒ＃１−２に属したメディアプレイヤーＳｅｒｃｈ Ｒｅｓｕｌｔの表示状態を、Ｓｅｒｃｈ Ｒｅｓｕｌｔ Ｌａｙｅｒ＃１−１に属したメディアプレイヤーＳｅｒｃｈ Ｒｅｓｕｌｔの表示状態へ戻し（状態Ｓ２２’）、しかもＳｅｒｃｈ Ｒｅｓｕｌｔ Ｌａｙｅｒ＃１−１に属したメディアプレイヤーＳｅｒｃｈ Ｒｅｓｕｌｔは、第２の表示形式で表示される。つまり、ＧＯ ＵＰキー１１３ｄによる現在の状態から上位の状態への遷移では、現在の状態で選択された表示形式が維持される。
【００６１】
これに対して、ＢＡＣＫキー１１３ｃは、操作前状態への遷移を指示するためのキーであるため、例えば、上記状態Ｓ２３で、ＢＡＣＫキー１１３ｃが操作されると、制御モジュール１０２は、Ｓｅｒｃｈ Ｒｅｓｕｌｔ Ｌａｙｅｒ＃１−２に属したメディアプレイヤーＳｅｒｃｈ Ｒｅｓｕｌｔの第２の表示形式での表示状態を第１の表示形式での表示状態へ戻す。
【００６２】
尚、図示していないが、フルスクリーンでの映像の表示中にＧＯ  ＵＰキー１１３ｄが操作されると、映像の下部にリストが表示される表示画面に戻る機能も有する。
【００６３】
上記説明したように、本発明の一実施形態に係る映像音声処理装置は、簡単操作に対応して多彩な表示遷移を可能にする。
【００６４】
なお、上記したモジュールとは、ハードウェアで実現するものであっても良いし、ＣＰＵ等を使ってソフトウェアで実現するものであってもよい。
【００６５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６６】
１０１…映像音声処理装置、１０２…制御モジュール、１０３…メモリ、１０４…ディスクドライブ、１０５…ストレージデバイス、１０６…映像出力モジュール、１０７…映像表示装置、１０８…ネットワークモジュール、１０９…インターネット、１１０…widget提供サーバ、１１１…インターネットサーバ
【図１】
2010286915.tif 000003
【図２】
2010286915.tif 000004
【図３】
2010286915.tif 000005
【図４】
2010286915.tif 000006
【図５】
2010286915.tif 000007